(57)【特許請求の範囲】
【請求項１】
二股状のランプピン回転用溝が形成された前面壁で前面が閉じられるとともに、前記回転用溝の出入口部に連続するランプピン通過溝が形成された端子収容部を有し、かつ、この収容部内に金具位置決めリブが設けられたソケット本体と、
ランプが有する一対のランプピンをその並び方向に沿って弾性的に挟んで支持するランプピン接触片を有し、この接触片の長手方向中央部から両端部に向うに従い前記ランプピン接触片の幅が次第に狭くなるように、前記ランプピン接触片の前縁を前記前面壁の裏面に沿うような平坦な端面で形成するとともに前記ランプピン接触片の後縁を略くの字状に形成してなり、前記ランプピン接触片の最短幅部である長手方向両端部を前記金具位置決めリブに支持させて前記端子収容部に内蔵された一対の端子金具と、
を具備したことを特徴とする挟み込み形ランプソケット。
【請求項２】
前記出入口部と対向する平坦状又は湾曲凹状のランプピン受け止め面を、前記二股状ランプピン回転用溝の両分岐溝部間の分岐部に設けたことを特徴とする請求項１に記載の挟み込み形ランプソケット。
【請求項３】
前記ランプピン受け止め面と前記出入口部との間の距離を、ランプが有する一対のランプピンのピン間隔より大きくしたことを特徴とする請求項２に記載の挟み込み形ランプソケット。
【請求項４】
器具本体と、
この器具本体に取付けられたソケット取付け台と、
この取付け台に取付けられた請求項１〜３の内のいずれか１項に記載の挟み込み形ランプソケットと、
このランプソケットに支持される直管形のランプと、
を具備したことを特徴とする照明器具。
【発明の詳細な説明】
【０００１】
【発明の属する技術分野】
本発明は、直管形蛍光ランプのランプピンを挿入してこのランプを約９０°回転させることにより、前記ランプを支持する挟み込み形のランプソケット及びこのソケットを備える照明器具に関する。
【０００２】
【従来の技術】
挟み込み形ランプソケットは、その端子収容部に収容した一対の端子金具のランプピン接触片間に、直管形蛍光ランプが有する２本のランプピンを弾性的に挟んで、蛍光ランプを支持するものである。２本のランプピンは、端子収容部のランプピン通過溝に通された後に、これらのピンでランプピン接触片を弾性変形させながら蛍光ランプを約９０°回転させることにより、一対のランプピン接触片間に弾性的に挟み込まれて支持される。そして、従来、前記ランプピン接触片の幅は、同接触片の長手方向のどの位置においても同じであるとともに、ランプピンの長さよりも大きな幅に形成されている。
【０００３】
ところで、ランプソケットの取付け位置や蛍光ランプの長さにはばらつきがあるので、ランプソケットに蛍光ランプを支持したときに、前記ばらつきに応じてランプピン接触片の幅方向に対するランプピンの接触寸法がばらつくことは避けられず、端子収容部の前面と蛍光ランプの口金との間に隙間ができることがある。この場合、ランプピンはランプピン接触片の後側部分にまで届くことがなく前側部分のみに接触するため、ランプピンが届いていないランプピン接触片の後側部分はランプピンで支持されることがない。そのため、ランプピンを挟もうとしているランプピン接触片の弾性力により、この接触片の前側部分に接触しているランプピンを支点として、ランプピン接触片の後側部分が内側に寄るようにランプピン接触片が傾けられることがある。
【０００４】
このような状況に至ると、ランプピン接触片に対しランプピンはその先端付近でのみ接触し、それに伴いランプピンを挟もうとするランプピン接触片の弾性力も有効にランプピンに伝わらなくなるため、ランプピンとの接触が不安定になるとともに、ランプピンの支持力が弱まる。
【０００５】
【発明が解決しようとする課題】
本発明が解決しようとする課題は、ランプの支持性能を安定させることができる挟み込み形ランプソケット及び照明器具を得ることにある。
【０００６】
【課題を解決するための手段】
前記課題を解決するために、請求項１に係る発明のランプソケットは、二股状のランプピン回転用溝が形成された前面壁で前面が閉じられるとともに、前記回転用溝の出入口部に連続するランプピン通過溝が形成された端子収容部を有し、かつ、この収容部内に金具位置決めリブが設けられたソケット本体と、ランプが有する一対のランプピンをその並び方向に沿って弾性的に挟んで支持するランプピン接触片を有し、この接触片の長手方向中央部から両端部に向うに従い前記ランプピン接触片の幅が次第に狭くなるように、前記ランプピン接触片の前縁を前記前面壁の裏面に沿うような平坦な端面で形成するとともに前記ランプピン接触片の後縁を略くの字状に形成してなり、前記ランプピン接触片の最短幅部である長手方向両端部を前記金具位置決めリブに支持させて前記端子収容部に内蔵された一対の端子金具と、を具備したことを特徴とする。
【０００７】
この発明及び以下の各発明は防水型又は非防水型の挟み込み型ランプソケット及び照明器具に適用できる。
【０００８】
請求項１の発明のランプソケットにランプを支持するには、このランプが有する一対のランプピンをランプピン通過溝に通してから、これらのピンがランプピン回転用溝の両分岐部に夫々位置されるようにランプを約９０°回転させればよい。そうすると、これらランプピンが一対の端子金具のランプピン接触片を夫々弾性変形させるため、既述のように約９０°回転されてランプピンがランプピン接触片の最も幅が広い長手方向略中央部に接触した時点で、これら２本のランプピンをその並び方向に沿って一対のランプピン接触片により弾性的に挟んで、ランプを支持できる。
【０００９】
ところで、端子収容部内においてランプピン接触片の長手方向両端部は支持されており、これら両端部は端子収容部の前面壁側に寄せて位置されているから、前記ランプ支持状態において、ランプピンを挟もうとしているランプピン接触片の弾性力は、この接触片の前側部分に主として作用し、したがって、ランプピンの根元側に作用する。そのため、ランプソケットの取付け位置のばらつきやランプの長さのばらつきに伴い、ランプピンがランプピン接触片の後側部分にまで届くことがなく前側部分のみに接触することがあっても、ランプピン接触片がそれ自体の弾性力でランプピンを支点として内側に傾くことを防止できる。
【００１０】
請求項２に係る発明のランプソケットは、前記出入口部と対向する平坦状又は湾曲凹状のランプピン受け止め面を、前記二股状ランプピン回転用溝の両分岐溝部間の分岐部に設けたことを特徴とする。
【００１１】
ランプピンを端子収容部内に挿入する時に、挿入方向前側のランプピンが前面壁のランプピン受け止め面に当って一旦受け止められるので、ランプピン通過溝への挿入に引続いて二股状ランプピン回転用溝の一方の分岐部に前記ランプピンが勝手に入り込むことがない。そのため、前記受け止め状態においてランプの端部周面の一部に付されている表示（製造会社名、品名、ワット数等）が下を向くようにランプの回転方向を定めた後、ランプを約９０°回転させてその取付けを行なわせることができる。このようにランプピンの挿入とそれに引続くランプの所定方向への回転の節度感を明確に得て、前記表示に基づくランプの向きを揃えてランプを取付けることが可能になる。
【００１２】
請求項３に係る発明のランプソケットは、前記ランプピン受け止め面と前記出入口部との間の距離を、ランプが有する一対のランプピンのピン間隔より大きくしたことを特徴とする。
【００１３】
ランプピンのランプ挿入溝への挿入により、挿入方向前側のランプピンをランプピン受け止め面で受け止めた状態では、挿入方向後側のランプピンは端子収容部の外側にはなく内側に入っている。そのため、引続く約９０°のランプの回転において、挿入方向後側のランプピンが端子収容部の外周に外れて引っ掛かることがなくなり、容易にランプを回転させて取付けることができる。
【００１４】
請求項４に係る発明の照明器具は、器具本体と、この器具本体に取付けられたソケット取付け台と、この取付け台に取付けられた請求項１〜３の内のいずれか１項に記載の挟み込み形ランプソケットと、このランプソケットに支持される直管形のランプと、を具備したことを特徴とする。
【００１５】
請求項４に係る発明によれば、ランプソケットの取付け位置のばらつきやランプの長さのばらつきに拘らずランプの支持性能を安定させることができる請求項１〜３に係るランプソケットを備えるから、品質の高い照明器具を提供できる。
【００１６】
【発明の実施の形態】
以下、図１〜図１０を参照して本発明の一実施形態を説明する。
【００１７】
図１（Ａ）（Ｂ）に示す防水型照明器具１は防塵や防水性能が要求される屋外その他の場所において使用される。この防水型照明器具１は、天井面にねじ止めされる器具本体２と、この器具本体２に固定された放電灯安定器３その他の図示しない電気部品と、器具本体２の長手方向両端に夫々取付けられたソケット取付け台４（長手方向一端部側に取付けられた台４のみ図示）と、これら取付け台４に夫々取付けられたランプソケット５と、これらソケット５を突出させるとともに器具本体２及びこれに取付けられた各部品を覆い隠してこの器具本体２にねじ止め等より連結されたＶ型反射板６と、器具本体２の長手方向に対向するランプソケット５に両端部を取外し可能に支持された放電灯例えば直管型蛍光ランプ７とを備えている。
【００１８】
次に、図２〜図１０を参照してランプソケット５について説明する。このソケット５は挟み込み型のものであって、ソケット本体１１と、一対の端子金具１２と、第１防水パッキン１３を有する締付け筒アセンブリ１４と、第２防水パッキン１５と、一対の第３防水パッキン１６とを具備している。締付け筒アセンブリ１４は、締付け筒１７と、スリップリング１８と、前記第１防水パッキン１３と、パッキン押え１９とを備えて形成されている。
【００１９】
図３〜図７等に示されるようにソケット本体１１は、ベース部２１に対し直角状につながった部分に端子収容部２２及びパッキン受け部２３を設けて形成されている。ベース部２１の両側面には前記ソケット取付け台４の取付け孔の孔縁に嵌合される取付け溝２１ａが夫々設けられている。端子収容部２２は、パッキン受け部２３の前側に突出する短い円筒状をなすとともに、その前面を塞いで取付けられた前面壁２４を有している。
【００２０】
端子収容部２２の外周面には雄ねじ部２５が設けられている。雄ねじ部２５の後端はパッキン受け部２３には連続しておらず、これらパッキン受け部２３と雄ねじ部２５とを非連続とする部分は、端子収容部２２の根元部２２ａをなすものであって、パッキン嵌合部として用いられる。この根元部２２ａの外周には、ゴム状弾性体例えばＯリングからなる前記第２防水パッキン１５が嵌合されている。パッキン受け部２３は根元部２２ａに対して直角に連なって端子収容部２２より一回り大きく外側に張出すように突出形成されている。
【００２１】
端子収容部２２にはソケット本体１１の先端側に位置して雄ねじ部２５を横断するランプピン通過溝２６設けられている。端子収容部２２の軸方向に延びるランプピン通過溝２６の前端は前面壁２４に開放されて、後端は根元部２２ａにより仕切られている。前面壁２４には出入口部２７ａとこれから分岐された一対の分岐溝部２７ｂとから二股状をなすランプピン回転用溝２７が形成されていて、その出入口部２７ａはランプピン通過溝２６の前端部に連続している。両分岐溝部２７ｂ間の分岐部２７ｃは、出入口部２７ａに対向するランプ受け止め面２７ｄを有し、この受け止め面２７ｄは平坦状をなしている。なお、ランプ受け止め面２７ｄは図５中２点鎖線で示すように浅い湾曲凹状に形成してもよい。そして、この受け止め面２７ｄと出入口部２７ａとの間の距離Ｅは、蛍光ランプ７が有する一対のランプピン７ｂのピン間隔Ｆ（図９参照）より大きく設定されている。前記前面壁２４の周部には切欠き状の係合凹部２８が複数例えば３箇所形成され、これら係合凹部２８は端子収容部２２の周方向に等間隔に設けられている。
【００２２】
図４、図６、図７等に示すように端子収容部２２の内側には、複数のリブ２２ｂが立ててあるとともに、これらリブ２２ｂに位置決めして一対の前記端子金具１２が左右対称の配置（図６参照）に収容されている。図６〜図８に示されるように両端子金具１２は、端子収容部２２の前後方向に延びる金具ベース４５の前部にランプピン接触片４６を一体に設け、かつ、金具ベース４５の後部に電線接続部４７を設けて形成されている。電線接続部４７は一対の電線鎖錠片４７ａ及びこれらに対向する電線通孔４７ｂを有している。
【００２３】
図８に示されるようにランプピン接触片４６は、その前縁４６ａを前記前面壁２４の裏面に沿うような（図７参照）平坦面で形成するとともに、後縁４６ｂをくの字状に形成している。それにより、図７及び図８（Ｂ）に示すようにランプピン接触片４６は、その幅が長手方向中央部から両端部に向かうに従い次第に狭くなるように形成されている。このランプピン接触片４６の長手方向中央部の幅はランプピン７ｂの突出長さに略等しく、同接触片４６の長手方向両端部の幅はランプピン７ｂの突出長さの半分程度である。
【００２４】
ランプピン接触片４６は、図６及び図８（Ａ）に示されるように前側（正面側）からみたときに略くの字形状をなすように曲げられているとともに、その頂部、つまり、最も幅が広い長手方向中央部にはピン係合溝４６ｃが形成されている。そして、このランプピン接触片４６は、その幅が最も短い長手方向両端部を前記リブ２２ｂに位置決めされている。それにより、図５、図６に示されるように一対の端子金具１２は、それらのランプピン接触片４６の頂部同士が近付けられるとともに長手方向の端部同士が遠ざかるように端子収容部２２内に収容配置され、この状態でピン係合溝４６ｃは前記分岐溝部２７ｂの奥端部を通して視認されるようになっている。なお、本発明において一対の端子金具１２は、くの字状に曲げられたピン接触片４６の頂部同士を互いに遠ざけるとともに、長手方向の端部同士を近付けるように端子収容部２２内に配置してもよい。
【００２５】
前記ソケット本体１１には、ゴム状弾性体製の一対の前記第３防水パッキン１６が収容され、これら防水パッキン１６の夫々には１本又は２本の電線（図示しない）が挿入される。電線は前記器具本体２内に配線されるリード線であり、その芯線は、第３防水パッキン１６を貫通して端子収容部２２内に挿入され、その挿入に伴い前記電線通孔４７ｂに通されて電線鎖錠片４７ａと金具ベース４５との間に自己鎖錠式に挟持されるようになっている。
【００２６】
ソケット本体１１の端子収容部２２には締付け筒アセンブリ１４が取外し可能に接続されている。このアセンブリ１４の締付け筒１７は前後両端が開口された円筒状をなしている。図９（Ａ）に示されるように締付け筒１７の前端開口部には、この筒１７の内周面から略直角に折れ曲がるように内向き縁部３１が形成され、同筒１７の後部内周面には端子収容部２２の雄ねじ部２５に螺合する雌ねじ部３２が形成されている。更に、図９（Ｂ）に示すように締付け筒１７の後端開口部には、当接端面３３とパッキン挟み面３４とが夫々全周にわたり形成されている。当接端面３３は締付け筒１７の後端面の外周側部分で形成され、パッキン挟み面３４は当接端面３３の内側にテーパ状をなして連なって形成されている。このパッキン挟み面３４の外径Ａは第２防水パッキン１５の外径Ｂと略等しい。締付け筒１７はその雌ねじ部３２を端子収容部２２の雄ねじ部２５に螺合して、端子収容部２２及びこの端子収容部２２に取付けられた蛍光ランプ７の端部外周面を覆い隠してソケット本体１１に取外し可能に取付けられる。
【００２７】
締付け筒１７内には、前記スリップリング１８が内向き縁部３１の内面に接して収容されている。更に締付け筒１７内には、いずれもリング状に成形された前記第１防水パッキン１３とパッキン押え１９とが夫々収容されていて、ゴム状弾性体製の第１防水パッキン１３は、パッキン押え１９とスリップリング１８との間に挟設されている。第１防水パッキン１３の前端面と前記内向き縁部３１との間に介装されたスリップリング１８は、締付け筒１７を締付け方向に回転操作する際にこの筒１７が第１防水パッキン１３に対して回転し易くするために使用されている。
【００２８】
図３、図１０に示すように第１防水パッキン１３は、その軸方向略中央部外周面に環状の凸条３６と、この凸条３６を境に前記内向き縁部３１側寄りの外周面に環状の凹み３７とを夫々設けているとともに、前記中央部内周面に凸条３６の裏側に位置して環状の凹条３８を設けている。ビード状をなす凸条３６は締付け筒１７の内周面に密接するものであり、凹み３７は断面円弧状の溝形成面をもって形成されている。
【００２９】
パッキン押え１９は、第１防水パッキン１３の最小内径より僅かに小さい内径を有したリングであって、第１防水パッキン１３の後部内面に形成した拡大内径部３９の内周面に嵌合して取付けられている。このパッキン押え１９の後端部には、第１防水パッキン１３の後端面に当接する外向きのフランジ４１が形成されているとともに、このフランジ４１から複数の係合突起４２が後方に突出されている。係合凸部４２は前記係合凹部２８と同数等間隔に設けられていて、これらの凹凸係合によりパッキン押え１９は固定側部材としてのソケット本体１１に対して周方向に回らないように位置規制されるようになっている。
【００３０】
次に、前記構成のランプソケット５に蛍光ランプ７を支持させる手順を説明する。まず、締付け筒１７内にスリップリング１８、第１防水パッキン１３、及びパッキン押え１９が予め収容されてなる締付け筒アセンブリ１４の内側に、蛍光ランプ７の端部を貫通させて置き、この状態で蛍光ランプ７をソケット本体１１に取付ける。
【００３１】
この取付けは以下の手順で行われる。つまり、蛍光ランプ７の口金７ａから突設された２本のランプピン７ｂを上下に並ぶ姿勢にして、蛍光ランプ７を天井側に押上げるとともにランプピン７ｂを前記ランプピン通過溝２６から端子収容部２２内に挿入し、次に、蛍光ランプ７を９０度回動させる。それにより、両端子金具１２のランプピン接触片４６が２本のランプピン７ｂによって夫々弾性変形されるとともに、これら２本のランプピン７ｂがその並び方向に沿って一対のランプピン接触片４６により弾性的に挟持され、こうして蛍光ランプ７が取付けられる。なお、この逆の手順によりソケット本体１１から蛍光ランプ７を取外すことができる。
【００３２】
こうしてソケット本体１１への蛍光ランプ７を取付けた後、締付け筒アセンブリ１４をソケット本体１１側に移動するとともに、その締付け筒１７を回転させてソケット本体１１の端子収容部２２に螺合させる。このねじ込み操作により、図９（Ｂ）の状態を経て図９（Ａ）に示されるように締付け筒アセンブリ１４がソケット本体１１に取付けられる。すなわち、以上の手順により蛍光ランプ７がソケット本体１１に取付けられる。
【００３３】
ところで、前縁４６ａが側面からみて真っ直ぐに形成されているランプピン接触片４６は、その長手方向両端部を端子収容部２２内のリブ２２ｄに夫々支持されており、これら両端部は端子収容部２２の前面壁２４側に寄せて位置されているから、前記ランプ支持状態において、ランプピン７ｂを挟もうとしているランプピン接触片４６の弾性力は、この接触片４６の前側部分、つまり、図８（Ｂ）中２点鎖線で示す部分に主として作用し、したがって、ランプピン７ｂの根元側に作用する。
【００３４】
そのため、ランプソケット５の取付け位置のばらつきや蛍光ランプ７の長さのばらつきに伴い、端子収容部２２の前面と蛍光ランプ７の口金７ａとの間に隙間ができて、ランプピン７ｂがランプピン接触片４６の後側部分にまで届くことがなく前側部分のみに接触することがあっても、ランプピン接触片４６がそれ自体の弾性力でランプピン７ｂを支点として内側に傾くことを防止できる。したがって、ランプピン接触片４６に対しランプピン７ｂがその先端付近でのみ接触することがないから、それに伴いランプピン７ｂを挟もうとするランプピン接触片４６の弾性力が有効にランプピン７ｂに伝えられ、ランプピン７ｂとの接触を安定化できるとともに、ランプピン７ｂの支持力を高めることができる。
【００３５】
更に、端子収容部２２の前面壁２４にランプピン受け止め面２７ｄを設けたことにより、既述のようにランプピン７ｂを端子収容部２２内に下方から押上げて挿入する時に、挿入方向前側のランプピン７ｂがランプピン受け止め面２７ｄに当って一旦受け止められる。よって、挿入方向前側のランプピン７ｂが、ランプピン通過溝２６への挿入に引続いてランプピン回転用溝２７の一方の分岐部２７ｂに前記挿入方向前側のランプピン７ｂが勝手に入り込むことがない。したがって、前記受け止め状態において蛍光ランプ７の端部周面の一部に付されている表示（製造会社名、品名、ワット数等）７ｃが下を向くように蛍光ランプ７の回転方向を定めた後、この蛍光ランプ７を約９０°回転させてその取付けを行なわせることができる。このようにランプピン７ｂの挿入とそれに引続く蛍光ランプ７の所定方向への回転の節度感を明確に得て、前記表示に基づく蛍光ランプ７の向きを揃えて蛍光ランプ７をランプソケット５に取付けることができる。
【００３６】
しかも、ランプピン受け止め面２７ｄと出入口部２７ａとの間の距離Ｅを、蛍光ランプの一対のランプピン７ｂのピン間隔Ｆより大きくしてあるので、既述のようにランプ挿入溝２６にランプピン７ｂを挿入して、その挿入方向前側のランプピン７ｂがランプピン受け止め面２７ｄに受け止めれた状態では、挿入方向後側のランプピン７ｂを端子収容部２２の外側にはなく内側に位置されせることができる。そのため、引続く約９０°の蛍光ランプ７の回転において、挿入方向後側のランプピン７ｂが端子収容部２２の外周に外れて引っ掛かることがなくなり、容易に蛍光ランプ７を回転させてソケット本体１１に取付けることができる。
【００３７】
又、前記ランプ７の取付けに伴って端子収容部２２に対する防水構造が構成される。すなわち、端子収容部２２への締付け筒１７の締付け（螺合）に伴い、端子収容部２２の前面壁２４にパッキン押え１９のフランジ４１が当接した時点から第１防水パッキン１３はその軸方向に押されて圧縮される。この場合に、パッキン押え１９の係合凸部４２がソケット本体１１の前面壁２４の係合凹部２８に係合するので、パッキン押え１９はソケット本体１１に対して回り止めされて、第１防水パッキン１３を軸方向に押圧する。こうした圧縮により、環状凹条３８の相対向する内面が互いに接するように第１防水パッキン１３が弾性変形し、この挙動によって、環状の凸条３６を外周側に押出されるように拡径させるとともに、環状の凹み３７を内周側に変形するように縮径させることができる。
【００３８】
したがって、第１防水パッキン１３を貫通している蛍光ランプ７のバルブ端部外周に凹み３７の裏側部分が密接するとともに、外側に盛上がる第１防水パッキン１３の環状凸条３６が締付け筒１７の内周面に密接するから、締付け筒アセンブリ１４とこれに通された蛍光ランプ７の端部外周との間の防水を第１防水パッキン１３のシール性によって確保できる。
【００３９】
そして、前記取付け手順において締付け筒１７の螺合完了間際には、この筒１７のパッキン挟み面３４が、予めソケット本体１１に嵌合されている第２防水パッキン１５に当接し、このパッキン１５をソケット本体１１のパッキン受け部２３側、正確にはパッキン挟み面３４のテーパと直角な内側方向に押圧する。そのため、第２防水パッキン１５はその内側に縮むように弾性変形してパッキン挟み面３４とパッキン受け部２３及び端子収容部２２の根元部２２ａとの間に挟着されるから、これらパッキン挟み面と３４パッキン受け部２３との間の防水を、第２防水パッキン１５のシール性によって確保できる。しかも、締付け筒１７の締付け操作は、パッキン挟み面３４の外側に連なった締付け筒１７の当接端面３３がパッキン受け部２３に当接することによって完了する。
【００４０】
【発明の効果】
本発明は、以上説明したような形態で実施され、以下に記載されるような効果を奏する。
【００４１】
請求項１に係る発明のランプソケットによれば、このソケットの取付け位置やランプの長さのばらつきによりランプピンが、端子金具のランプピン接触片の後側部分にまで届くことがなく前側部分のみに接触することがあっても、ランプピン接触片がそれ自体の弾性力でランプピンを支点として傾くことを防止できるので、ランプを安定して支持することができる。
【００４２】
請求項２に係る発明によれば、二股状ランプピン回転用溝の分岐部のランプピン受け止め面でランプピンを一旦受け止めるようにしたので、端子収容部へのランプピンの挿入とそれに引続くランプの所定方向への約９０°回転の節度感を明確に得て、ランプの端部に付された表示に基づくランプの向きを揃えてソケットにランプを取付けることができる。
【００４３】
請求項３に係る発明によれば、ランプピンをランプピン受け止め面で受け止めた状態からランプを約９０°回転させる際に、ランプピンが端子収容部の外周に外れて引っ掛かることがなく、容易にランプを回転させて取付けることができる。
【００４４】
請求項４に係る発明によれば、ランプソケットの取付け位置やランプの長さのばらつきに拘らずランプの支持性能を安定させることができる請求項１〜３に係るランプソケットを備えるから、品質の高い照明器具を提供できる。
【図面の簡単な説明】
【図１】（Ａ）は本発明の一実施形態に係る照明器具を示す斜視図。
（Ｂ）は同照明器具の断面図。
【図２】図１に示された照明器具が備える本発明の一実施形態に係るランプソケットを示す斜視図。
【図３】図２に示されたランプソケットを分解して示す斜視図。
【図４】図２に示されたランプソケットのソケット本体を分解して示す斜視図。
【図５】図２に示されたランプソケットのソケット本体を示す正面図。
【図６】図５に示されたランプソケットを示す縦断正面図。
【図７】図６中Ｚ−Ｚ線に沿って示す縦断側面図。
【図８】（Ａ）は図２に示されたランプソケットが備える端子金具の正面図。
（Ｂ）は図２に示されたランプソケットが備える端子金具の側面図。
（Ｃ）は図２に示されたランプソケットが備える端子金具の平面図。
（Ｄ）は図２に示されたランプソケットが備える端子金具の底面図。
【図９】（Ａ）は図２に示されたランプソケットのソケット本体に締付け筒アセンブリを取付ける途中状態を示す縦断側面図。
（Ｂ）は図２に示されたランプソケットのソケット本体に締付け筒アセンブリが取付けられた状態を示す部分断面図。
【図１０】（Ａ）は図２に示されたランプソケットの第１防水パッキンを示す側面図。
（Ｂ）は図１０（Ａ）の防水パッキンの一部を拡大して示す断面図。
【符号の説明】
１…照明器具
２…器具本体
４…ソケット取付け台
５…ランプソケット
７…蛍光ランプ
７ｂ…蛍光ランプのランプピン
７ｃ…蛍光ランプの表示
１１…ソケット本体
１２…端子金具
２２…端子収容部
２２ｂ…端子収容部のリブ
２４…端子収容部のリブ前面壁
２６…ランプピン通過溝
２７…ランプピン回転用溝
２７ａ…ランプピン回転用溝の出入口部
２７ｂ…ランプピン回転用溝の分岐溝部
２７ａ…ランプピン回転用溝の分岐部
２７ａ…ランプピン回転用溝のランプピン受け止め面
４５…端子金具の金具ベース
４６…端子金具のランプピン接触片
４６ａ…ランプピン接触片の前縁
４６ｂ…ランプピン接触片の後縁
４６ｃ…ランプピン接触片のピン係合溝
Ｅ…ランプピン受け止め面と出入口部との間隔
Ｆ…ランプピンのピン間隔
【図１】
0003921874.tif 000002
【図２】
0003921874.tif 000003
【図３】
0003921874.tif 000004
【図４】
0003921874.tif 000005
【図５】
0003921874.tif 000006
【図６】
0003921874.tif 000007
【図７】
0003921874.tif 000008
【図８】
0003921874.tif 000009
【図９】
0003921874.tif 000010
【図１０】
0003921874.tif 000011